(57)【要約】      （修正有）【課題】フレームが搖動しなくて、安定性が優れた組立て式フレームの構造を提供する。【解決手段】フレームは、主として、両端の錐形嵌設座２１と内ブッシュを利用して、若干の横方向フレーム棒２０で、四つの接続管である直立フレーム棒１０を連結して、二つずつの等高的に平行する若干棚層が形成されて棚板を設置し、また、左右側の二つの直立フレーム棒の間において、それぞれ上下に位置し、両端に錐形嵌設座がある側辺横支持棒３０により連結され、それらの四つの直立フレーム棒の周辺が、それぞれ横方向フレーム棒と側辺横支持棒により制限される。【選択図】図４
0003141132.tif 000002
【実用新案登録請求の範囲】
【請求項１】
等角的に４隅に分布し、外周面に多数のリング状槽が設けられる接続管である四つの直立フレーム棒と、
二つずつ、同じ高さに、四つの直立フレーム棒同士の間に平坦に設置され、棚層が形成され、その両端に、それぞれ錐形嵌設座が半田付け、錐形嵌設座が、内部にある１組の内ブッシュにより、直立フレーム棒上に位置付けられる少なくとも１層以上の横方向フレーム棒と、
一つの直棒の両端に、それぞれ錐形嵌設座が設けられることによりなり、錐形嵌設座が、内部にある１組の内ブッシュにより、左右側の二つの直立フレーム棒の横方向に連結されて位置付けられる少なくとも２本以上の側辺横支持棒と、
シート状網と四つのカラーリングからなり、該シート状網が、その４隅にある四つのカラーリングにより、左右側の二つの直立フレーム棒に固定されることにより、適当な抵当面が形成される複数の立ち辺セットと、
前後端が下へ折られて、等高的に設置される二つの横方向フレーム棒上に設置される複数の棚板が含有されることを特徴とする、組立て式フレームの構造。
【請求項２】
それらの直立フレーム棒が、上下の両段式管体を組み立てることからなり、その底部に棒パッドが螺着され、棒頂に管プラグや伸縮可能の内棒を有する抵当部材が設けられることを特徴とする、請求項１に記載の組立て式フレームの構造。
【請求項３】
内ブッシュが、二つの半円状からなり、上薄下厚で、内部に直立フレーム棒のリング状槽に嵌合するリング状リブがあることを特徴とする、請求項１に記載の組立て式フレームの構造。
【請求項４】
それらの横方向フレーム棒が伸縮管形態であることを特徴とする、請求項１に記載の組立て式フレームの構造。
【請求項５】
それらのシート状網の４隅が、上下に位置する横支持棒から伸ばして、貫通穴が形成される扁平状突出接続部とカラーリングにより螺着され、それらのカラーリングが、ラスチックでフランジが付けられる開口を有するＣ形状で、フランジ付け開口に、更にソケット穴が設けられ、その一つのソケット穴にナットが埋め込まれることを特徴とする、請求項１に記載の組立て式フレームの構造。
【考案の詳細な説明】
【技術分野】
【０００１】
本考案は、組立て式金屬フレームに関し、特に、搖動しなくて構造が安定である組立て式フレームの構造に関する。
【背景技術】
【０００２】
図１は、従来の組立て式フレーム構造であり、該フレーム構造は、左右にそれぞれ二つの直立フレーム棒６０があり、該二つずつ対応する直立フレーム棒６０同士の間に突出シート６１が半田付けられ、また、突出シート６１に、それぞれ等距離に、ボルトを貫設して横方向のフレーム棒７０に螺着するための若干の螺着穴６１０が形成され、これにより、前後の両フレーム棒７０により、棚板８０が設置されて棚網９０に螺着される。その横方向のフレーム棒７０が両側の直立フレーム棒６０の突出シート６１に固定されるため、その安定度と負荷重量はボルトだけによるから、テストによると約１０ｋｇの負荷しかないため、使用する時に変形や傾斜になる恐れがある。
【考案の開示】
【考案が解決しようとする課題】
【０００３】
本考案の主な目的は、搖動しなくて、構造が安定である組立て式フレームの構造を提供する。
【課題を解決するための手段】
【０００４】
請求項１の考案は、等角的に４隅に分布し、外周面に多数のリング状槽が設けられる接続管である四つの直立フレーム棒と、二つずつ同じ高さに、四つの直立フレーム棒同士の間に平坦に設置され、棚層が形成され、その両端に、それぞれ錐形嵌設座が半田付け、錐形嵌設座が内部にある１組の内ブッシュにより、直立フレーム棒上に位置付けられる少なくとも１層以上の横方向フレーム棒と、一つの直棒の両端に、それぞれ錐形嵌設座が設けられることによりなり、錐形嵌設座が内部にある１組の内ブッシュにより、左右側の二つの直立フレーム棒の横方向に連結されて位置付けられる少なくとも２本以上の側辺横支持棒と、シート状網と四つのカラーリングからなり、該シート状網が、その４隅にある四つのカラーリングにより、左右側の二つの直立フレーム棒に固定されることにより、適当な抵当面が形成される複数の立ち辺セットと、前後端が下へ折られて、等高的に設置される二つの横方向フレーム棒上に設置される複数の棚板が含有されることを特徴とする、組立て式フレームの構造である。
【０００５】
請求項２の考案は、それらの直立フレーム棒が上下の両段式管体を組み立てることからなり、その底部に棒パッドが螺着され、棒頂に管プラグや伸縮可能の内棒を有する抵当部材が設けられることを特徴とする、請求項１に記載の組立て式フレームの構造である。
【０００６】
請求項３の考案は、内ブッシュが二つの半円状からなり、上薄下厚で、内部に直立フレーム棒のリング状槽に嵌合するリング状リブがあることを特徴とする、請求項１に記載の組立て式フレームの構造である。
【０００７】
請求項４の考案は、それらの横方向フレーム棒が伸縮管形態であることを特徴とする、請求項１に記載の組立て式フレームの構造である。
【０００８】
請求項５の考案は、それらのシート状網の４隅が上下に位置する横支持棒から伸ばして、貫通穴が形成される扁平状突出接続部とカラーリングにより螺着され、それらのカラーリングがプラスチックで、フランジが付けられる開口を有するＣ形状で、フランジ付け開口に、更にソケット穴が設けられ、その一つのソケット穴にナットが埋め込まれることを特徴とする、請求項１に記載の組立て式フレームの構造である。
【考案を実施するための最良の形態】
【０００９】
図２乃至５のように、本考案は、等角的に４隅に分布し、外周面に多数のリング状槽１１が設けられる接続管であり、また、上下の両段式管体により組み立てられても良く、そして、棒底に棒パッド１２が螺着され、棒頂に管プラグ１３や伸縮可能の内棒を有する抵当部材１４が設置されても良い四つの直立フレーム棒１０と、
二つずつ同じ高さに、四つの直立フレーム棒１０同士の間に平坦に設置され、棚層が形成され、その両端に、それぞれ錐形嵌設座２１が半田付け、錐形嵌設座２１が、内部にある１組の内ブッシュ２２により直立フレーム棒１０上に位置付けられ、該内ブッシュ２２が二つの半円状からなり、上薄下厚で、内部に直立フレーム棒１０のリング状槽１１に嵌合するリング状リブ２２１があり、また、それらの横方向フレーム棒２０が伸縮管形態で、フレーム１の幅を調整できる少なくとも１層以上の横方向フレーム棒２０と、
一つの直棒の両端に、それぞれ錐形嵌設座３１が設けられることによりなり、錐形嵌設座３１が、内部にある１組の内ブッシュ３２（前述のように）により、左右側の二つの直立フレーム棒１０の横方向に連結されて位置付けられる少なくとも２本以上の側辺横支持棒３０と、
シート状網４１と四つのカラーリング４２からなり、該シート状網４１が、その４隅にある四つのカラーリング４２により、左右側の二つの直立フレーム棒１０に固定されることにより、適当な抵当面が形成され、また、それらのシート状網４１の４隅が、上下に位置する横支持棒から伸ばして、貫通穴が形成される扁平状突出接続部４１０とカラーリング４２により螺着され、また、それらのカラーリング４２がプラスチックで、フランジが付けられる開口４２０を有するＣ形状で、フランジ付け開口４２０に六角状のソケット穴４２１が設けられ、これにより、ソケット穴４２１の一泡側にナット４２２が埋め込まれ、該シート状網４１に設けられ、貫通穴を有する四つの扁平状突出接続部４１０とそれらのカラーリング４２のフランジ付け開口４２０により、ボルトである螺着部材４３で螺着される複数の立ち辺セット４０と、
前後端が下へ折られて、等高的に設置される二つの横方向フレーム棒２０上に設置される複数の棚板５０が含有される。
【００１０】
図３のように、本考案に係るフレーム１は、主として、両端の錐形嵌設座２１と内ブッシュ２２を利用して、若干の横方向フレーム棒２０で両側にある直立フレーム棒１０を連結して、二つずつの等高的に平行する若干棚層が形成されて棚板５０を設置し、また、左右側の二つの直立フレーム棒１０の間において、それぞれ上下に位置し、両端に錐形嵌設座３１がある側辺横支持棒３０により連結され、それらの四つの直立フレーム棒１０の周辺が、それぞれ横方向フレーム棒２０と側辺横支持棒３０により制限されることにより、フレーム１は搖動しなくて安定性が優れた効果が得られる。
【００１１】
また、本考案の左右側にある二つの直立フレーム棒１０の間に、稼働的に若干のシート状網４１と四つのカラーリング４２からなる立ち辺セット４０が組み立てられても良く、組み立てる時、それらのカラーリング４２がプラスチックで、フランジ付き開口４２０のＣ形状であるため、弾性的に直立フレーム棒１０上に嵌合され、フランジ付き開口４２０上の六角状ソケット穴４２１の一側に、シート状網４１の４隅にある扁平状突出接続部４１０を螺着するための六角ナットが設置され、これにより、フレーム１の左右側にある二つの直立フレーム棒１０の間に、適当な抵当面が形成され、本実施例において、それらの立ち辺セット４０は、２組の左右側にある二つの直立フレーム棒１０の間に設置され、それぞれ棚板５０による棚層と、交互に配列されるように形成されることにより、棚板５０による棚層の位置を調整でき、また、棚板５０の棚層の間にその高度位置を調整でき、調整する時、シート状網４１の４隅のカラーリング４２を適当に弛んで、上下に高度を調整でき、その後、再び締めればよく、調整操作が簡単である。
【００１２】
本考案の横方向フレーム棒２０は、伸縮棒設計である伸縮棒の作用に合わせて、各棚層の棚板５０を二枚式構造にすることにより、伸縮調整できる（図４と５のように）。
【００１３】
本考案に係るフレーム１は、四つの直立フレーム棒１０に伸縮内棒を有する抵当部材１４が組み立てられ（図６のように）、フレーム１の頂端にあるそれらの抵当部材１４で天井に抵当すれば、フレーム１が搖動することを更に防止できる。
【図面の簡単な説明】
【００１４】
【図１】従来のフレームの斜視概念図
【図２】本考案の一実施例の斜視図
【図３】本考案の一実施例の局部斜視分解図
【図４】本考案の一実施例のフレームの分解概念図
【図５】本考案の一実施例のフレームと棚板の組立て概念図
【図６】本考案の他の実施例の斜視図
【符号の説明】
【００１５】
１０      直立フレーム棒
１１      リング状槽
１２      棒パッド
１３      管プラグ
１４      抵当部材
２０      横方向フレーム棒
２１      錐形嵌設座
２２      内ブッシュ
２２１    リング状リブ
３０      側辺横支持棒
３１      錐形嵌設座
３２      内ブッシュ
４０      立ち辺セット
４１      シート状網
４１０    扁平状突出接続部
４２      カラーリング
４２０    フランジ付き開口
４２１    ソケット穴
４３      ナット
４４      螺着部材
５０      棚板
【図１】
0003141132.tif 000003
【図２】
0003141132.tif 000004
【図３】
0003141132.tif 000005
【図４】
0003141132.tif 000006
【図５】
0003141132.tif 000007
【図６】
0003141132.tif 000008